(57)【要約】【課題】構成や製造プロセスが簡単であり、製造コストの削減が可能な電気泳動表示装置を提供する。【解決手段】本発明の電気泳動表示装置１は、ＴＦＴアレイ基板（第１の基板）と、対向基板（第２の基板）と、画素電極（第１の電極）と、共通電極（第２の電極）と、ＴＦＴアレイ基板と対向基板との間に挟持された電気泳動層と、第１の基板に設けられた共通電極用端子（第２電極用端子）と、共通電極と電気的に接続されるとともに対向基板の第１の面から第２の面にわたって設けられた導電部と、導電部と共通電極用端子とを電気的に接続する共通電位供給配線（接続部材）と、を備える。【選択図】図２
2013222087.tif 000002
【特許請求の範囲】
【請求項１】
第１の基板と、
前記第１の基板と対向する第２の基板と、
前記第１の基板と前記第２の基板との間に挟持され、電気泳動粒子を含む電気泳動層と、
前記第１の基板と前記電気泳動層との間に設けられた第１の電極と、
前記第２の基板と前記電気泳動層との間に設けられた第２の電極と、
前記第１の基板に設けられ、前記第２の電極と電気的に接続された第２電極用端子と、
前記第２の電極と電気的に接続され、前記第２の基板の前記第１の基板と対向する第１の面側から前記第１の基板と対向しない第２の面側にわたって設けられた導電部と、
前記導電部のうち、前記第２の基板の前記第２の面側に位置する部分で前記導電部と接続され、前記導電部と前記第２電極用端子とを電気的に接続する接続部材と、を備えたことを特徴とする電気泳動表示装置。
【請求項２】
前記導電部が、前記第２の基板の前記第１の面から前記第２の基板の端面を経て前記第２の面にわたって設けられた導電膜で構成されていることを特徴とする請求項１に記載の電気泳動表示装置。
【請求項３】
前記第２の基板の前記第１の面と前記第２の面との間を貫通する貫通孔が設けられ、
前記導電部が、前記貫通孔の内部に配置された導電体で構成されていることを特徴とする請求項１に記載の電気泳動表示装置。
【請求項４】
前記第１の電極が複数の画素電極であり、前記第２の電極が共通電極であることを特徴とする請求項１ないし３のいずれか一項に記載の電気泳動表示装置。
【請求項５】
第１の基板に第１の電極および第２電極用端子を形成する工程と、
第２の基板の第１の面に第２の電極を形成する工程と、
前記第２の電極が設けられた前記第２の基板に対し、前記第２の電極と電気的に接続されるように前記第１の面から第２の面にわたって導電部を形成する工程と、
前記第１の電極と前記第２の電極とを対向させ、前記第１の基板と前記第２の基板との間に電気泳動粒子を含む電気泳動層を挟持させた状態で、前記第１の基板と前記第２の基板とを貼り合わせる工程と、
前記導電部のうち、前記第２の基板の前記第２の面に位置する部分に接続部材を接続し、前記接続部材を介して前記導電部と前記第２電極用端子とを電気的に接続する工程と、
を備えたことを特徴とする電気泳動表示装置の製造方法。
【請求項６】
前記導電部を形成する工程において、メッキ法を用いて前記導電部を形成することを特徴とする請求項５に記載の電気泳動表示装置の製造方法。
【請求項７】
前記導電部を形成する工程において、前記第２の基板の前記第１の面と前記第２の面との間を貫通する貫通孔を形成し、前記貫通孔の内部に前記第２の基板の前記第１の面および前記第２の面の外方に突出する導電体を配置し、前記導電体の突出部分をかしめることにより前記導電部を形成することを特徴とする請求項５に記載の電気泳動表示装置の製造方法。
【発明の詳細な説明】
【技術分野】
【０００１】
本発明は、電気泳動表示装置およびその製造方法に関する。
【背景技術】
【０００２】
電気泳動表示装置は、電極がそれぞれ設けられた一対の基板間に電気泳動材料が挟持された構成を有する。一対の基板の電極間に電界を発生させることにより、電気泳動材料中の荷電粒子を一対の基板間で移動させ、荷電粒子の色による表示を行う。各基板上の電極に所定の電圧を印加するための電極接続部の構造が、下記の特許文献１に開示されている。
【０００３】
特許文献１では、帯電粒子駆動型情報表示用パネルの一例として、パッシブマトリクス表示方式の情報表示用パネルが開示されている。本例の情報表示用パネルでは、各基板上の電極と駆動回路とを接続する接続部材としてフレキシブルケーブルが用いられている。具体的には、観察側基板の端部にストライプ電極の端子部が設けられ、端子部にフレキシブルケーブルの配線が接続されている。同様に、背面側基板の端部にストライプ電極の端子部が設けられ、端子部にフレキシブルケーブルの配線が接続されている。また、シール材は、各フレキシブルケーブルのうち、基板上の端子部と接しない位置においてフレキシブルケーブルを両側から挟み込むように、一対の基板間に設けられている。
【先行技術文献】
【特許文献】
【０００４】
【特許文献１】特開２０１１−１１８１８５号公報
【発明の概要】
【発明が解決しようとする課題】
【０００５】
特許文献１の情報表示用パネルにおいては、一対の基板の双方にフレキシブルケーブルを接続する必要がある。そのため、部品点数が多い、製造プロセスが複雑である等の理由により、製造コストが高騰するという問題があった。
【０００６】
本発明は、上記の課題を解決するためになされたものであって、構成や製造プロセスが簡単であり、製造コストの削減が可能な電気泳動表示装置およびその製造方法の提供を目的とする。
【課題を解決するための手段】
【０００７】
上記の目的を達成するために、本発明の電気泳動表示装置は、第１の基板と、前記第１の基板と対向する第２の基板と、前記第１の基板と前記第２の基板との間に挟持され、電気泳動粒子を含む電気泳動層と、前記第１の基板と前記電気泳動層との間に設けられた第１の電極と、前記第２の基板と前記電気泳動層との間に設けられた第２の電極と、前記第１の基板に設けられ、前記第２の電極と電気的に接続された第２電極用端子と、前記第２の電極と電気的に接続され、前記第２の基板の前記第１の基板と対向する第１の面側から前記第１の基板と対向しない第２の面側にわたって設けられた導電部と、前記導電部のうち、前記第２の基板の前記第２の面側に位置する部分で前記導電部と接続され、前記導電部と前記第２電極用端子とを電気的に接続する接続部材と、を備えたことを特徴とする。
【０００８】
本発明の電気泳動表示装置によれば、第２電極用端子に接続された接続部材および導電部を介して、第２の電極に電位を供給することができる。すなわち、第１の基板に設けられた第２電極用端子から第２の基板に設けられた第２の電極に対して電位を供給できる。そのため、例えば外部接続用のフレキシブルケーブル等を第１の基板のみに接続すれば足りる。そのため、構成や製造プロセスが簡単で、製造コストの削減が可能な電気泳動表示装置を提供することができる。
【０００９】
本発明の電気泳動表示装置において、前記導電部が、前記第２の基板の前記第１の面から前記第２の基板の端面を経て前記第２の面にわたって設けられた導電膜で構成されていてもよい。
この構成によれば、簡易な成膜方法を用いて導電膜からなる導電部を形成することができる。
【００１０】
本発明の電気泳動表示装置において、前記第２の基板の前記第１の面と前記第２の面との間を貫通する貫通孔が設けられ、前記導電部が、前記貫通孔の内部に配置された導電体で構成されていてもよい。
この構成によれば、導電部が第２の基板の内部に埋め込まれた形態となるため、堅固な導電部を形成することができる。
【００１１】
本発明の電気泳動表示装置において、前記第１の電極が複数の画素電極であり、前記第２の電極が共通電極であることが望ましい。
この構成によれば、アクティブマトリクス方式の電気泳動表示装置を実現することができる。
【００１２】
本発明の電気泳動表示装置の製造方法は、第１の基板に第１の電極および第２電極用端子を形成する工程と、第２の基板の第１の面に第２の電極を形成する工程と、前記第２の電極が設けられた前記第２の基板に対し、前記第２の電極と電気的に接続されるように前記第１の面から第２の面にわたって導電部を形成する工程と、前記第１の電極と前記第２の電極とを対向させ、前記第１の基板と前記第２の基板との間に電気泳動粒子を含む電気泳動層を挟持させた状態で、前記第１の基板と前記第２の基板とを貼り合わせる工程と、前記導電部のうち、前記第２の基板の前記第２の面に位置する部分に接続部材を接続し、前記接続部材を介して前記導電部と前記第２電極用端子とを電気的に接続する工程と、を備えたことを特徴とする。
本発明の電気泳動表示装置の製造方法によれば、構成や製造プロセスが簡単で、製造コストの削減が可能な電気泳動表示装置を提供することができる。
【００１３】
本発明の電気泳動表示装置の製造方法においては、前記導電部を形成する工程において、メッキ法を用いて前記導電部を形成してもよい。
この構成によれば、メッキ法という簡易な成膜方法を用いて導電膜からなる導電部を形成することができる。
【００１４】
本発明の電気泳動表示装置の製造方法においては、前記導電部を形成する工程において、前記第２の基板の前記第１の面と前記第２の面との間を貫通する貫通孔を形成し、前記貫通孔の内部に前記第２の基板の前記第１の面および前記第２の面の外方に突出する導電体を配置し、前記導電体の突出部分をかしめることにより前記導電部を形成してもよい。
この構成によれば、第２の基板の内部に埋め込まれた形態の導電部が形成され、堅固な導電部を形成することができる。
【図面の簡単な説明】
【００１５】
【図１】本発明の第１実施形態の電気泳動表示装置を示す平面図である。
【図２】図１のＡ−Ａ’線に沿う断面図である。
【図３】本実施形態の電気泳動表示装置の製造方法を、工程順を追って示す断面図である。
【図４】本発明の第２実施形態の電気泳動表示装置を示す平面図である。
【図５】図４のＢ−Ｂ’線に沿う断面図である。
【図６】本実施形態の電気泳動表示装置の製造方法を、工程順を追って示す断面図である。
【図７】本発明の電気泳動表示装置を適用した電子機器の具体例を示す斜視図であり、（ａ）は電子ブックを示す斜視図、（ｂ）は腕時計を示す斜視図、（ｃ）は電子ペーパーを示す斜視図である。
【発明を実施するための形態】
【００１６】
［第１実施形態］
以下、本発明の第１実施形態について、図１〜図３を用いて説明する。
図１は、本実施形態の電気泳動表示装置を示す平面図である。図２は、図１のＡ−Ａ’線に沿う断面図である。図３は、本実施形態の電気泳動表示装置の製造方法を、工程順を追って示す断面図である。
なお、以下の各図面においては各構成要素を見やすくするため、構成要素によって寸法の縮尺を異ならせて示すことがある。
【００１７】
本実施形態の電気泳動表示装置１は、図１および図２に示すように、薄膜トランジスタ（Thin Film Transistor, 以下、ＴＦＴと略記する）アレイ基板２（第１の基板）と、対向基板３（第２の基板）と、電気泳動層４と、外周シール材５と、導電部６と、共通電位供給配線７（接続部材）と、を備えている。ＴＦＴアレイ基板２と対向基板３とは、互いに対向するように配置され、これら基板２，３の周縁部に設けられた外周シール材５により所定の間隔をおいて貼り合わされている。
【００１８】
ＴＦＴアレイ基板２と対向基板３と外周シール材５とにより囲まれた空間には、電気泳動粒子８を含む電気泳動材料が封入され、電気泳動層４が構成されている。以下の説明では、ＴＦＴアレイ基板２および対向基板３の電気泳動層４に接する側の面２ａ，３ａをそれぞれ内面と称し、電気泳動層４に接する側と反対側の面２ｂ，３ｂをそれぞれ外面と称する。対向基板３の内面３ａは特許請求の範囲の第１の面に対応し、対向基板３の外面３ｂは特許請求の範囲の第２の面に対応する。
【００１９】
ＴＦＴアレイ基板２の内面２ａには、図示しないデータ線、走査線、ＴＦＴ等が形成されている。ＴＦＴアレイ基板２の構成は周知であり、詳細な説明は省略するが、複数のデータ線と複数の走査線とが互いに交差して配置され、互いに隣接するデータ線と互いに隣接する走査線とにより囲まれた各領域が画素となる。画素ごとにＴＦＴが配置され、個々のＴＦＴには画素電極が接続されている。したがって、ＴＦＴアレイ基板２の内面２ａには、図２に示すように、複数の画素電極９（第１の電極）が形成されている。
【００２０】
ＴＦＴアレイ基板２は、例えばガラス基板で構成されている。ただし、ＴＦＴアレイ基板２の材料は、ガラス基板に限ることなく、他の材料、例えば種々のプラスチック基板を用いることもできる。さらに、ＴＦＴアレイ基板２の材料は、必ずしも透明材料でなくてもよい。画素電極９は、例えばインジウム錫酸化物（Indium Tin Oxide, 以下、ＩＴＯと略記する）等の透明導電膜で構成されている。なお、画素電極９の材料は、ＩＴＯに限ることなく、他の透明導電膜を用いることもできる。さらに、画素電極９の材料は、必ずしも透明導電材料でなくてもよい。
【００２１】
対向基板３の内面３ａには、図２に示すように、共通電極１０（第２の電極）が形成されている。共通電極１０は、全ての画素に対して共通の電極であり、少なくとも表示領域の全域にわたって形成されている。対向基板３は、例えばガラス基板で構成されている。なお、対向基板３の材料は、ガラス基板に限ることなく、他の材料、例えばポリエチレンテレフタレート（ＰＥＴ）、ＡＢＳ樹脂、ポリイミド等のプラスチックフィルムを用いることもできる。後述するように、対向基板の一部にはメッキ処理を施すが、ガラス基板のみならず、上記のプラスチックフィルムにもメッキ処理が可能である。共通電極１０は、例えばＩＴＯ等の透明導電膜で構成されている。なお、共通電極１０の材料は、ＩＴＯに限ることなく、例えばＩＺＯ等、他の透明導電膜を用いることもできる。
【００２２】
画素電極９と共通電極１０とは、これら電極のフェルミ準位の差が小さくなるように材料が選定されている。フェルミ準位の差が直流電圧となり、電極の腐食を引き起こすからである。例えばＩＴＯの電極と、アルミニウムの電極とを形成した場合には、上記直流電圧により腐食が起こることが知られている。このため、例えば画素電極９と共通電極１０の材料を同一とすることが最も望ましい。
【００２３】
ＴＦＴアレイ基板２と対向基板３との間には外周シール材５が配置され、ＴＦＴアレイ基板２と対向基板３とは外周シール材５により所定の間隔に保持されている。外周シール材５には、液晶パネルのシール材と同様のものを用いることができ、例えばＵＶ硬化型のアクリル系樹脂が用いられる。あるいは熱硬化型のエポキシ系樹脂を用いても構わない。
【００２４】
電気泳動層４を構成する電気泳動材料は、透明な分散媒１１と、分散媒１１中に分散された正に帯電した、例えば黒色の電気泳動粒子８と、からなる。分散媒１１は例えばシリコンオイルであり、電気泳動粒子８は例えば黒色に着色されたアクリル粒子の表面に帯電基を形成したものである。電気泳動材料の帯電度合いや分散度合いは、電気泳動材料に添加する帯電剤や分散剤により調整することができる。
【００２５】
電気泳動粒子８は、画素電極９と共通電極１０との電位差に基づいて両電極９，１０間を移動可能であり、図２に示すように、画素電極９および共通電極１０に対して電気的に吸着が可能である。本実施形態の電気泳動表示装置１では、電気泳動層４を領域毎に区画するためのマイクロカプセルや隔壁は設けられていないが、これらマイクロカプセルや隔壁が設けられていてもよい。また、電気泳動粒子８の他に、帯電していない粒子を含む電気泳動材料を用いても良い。
【００２６】
図１に示すように、ＴＦＴアレイ基板２の長手方向の寸法は対向基板３の長手方向の寸法よりも大きく、ＴＦＴアレイ基板２の短辺側の端部（図１における右側の端部）は対向基板３の外側に張り出している。ＴＦＴアレイ基板２の内面における張り出し部分に、ＴＦＴアレイ基板２上のデータ線や走査線に信号を供給するための端子部１２と、対向基板３上の共通電極１０に共通電位を供給するための共通電極用端子１３（第２電極用端子）と、が形成されている。共通電極用端子１３は、後述する接続構造によって共通電極１０と電気的に接続されている。
【００２７】
図１に示すように、対向基板３の４つの角部のうち、１つの角部に導電部６が設けられている。ここでは、導電部６の平面形状を矩形状としたが、特に限定されない。導電部６は、例えば銅（Ｃｕ）、ニッケル（Ｎｉ）、パラジウム（Ｐｄ）等の金属からなる導電膜で構成されている。図２に示すように、導電部６は、共通電極１０の端部に接するように、対向基板３の内面３ａから端面３ｃを経て外面３ｂにわたって設けられている。この構成により、導電部６は、共通電極１０に対して電気的に接続されている。
【００２８】
対向基板３の導電部６とＴＦＴアレイ基板２の共通電極用端子１３とは、共通電位供給配線７により電気的に接続されている。共通電位供給配線７は、例えば銅（Ｃｕ）、銀（Ａｇ）、アルミニウム（Ａｌ）等の金属からなる配線である。配線の形態としては、例えばテープ状のものでもよいし、ボンディングワイヤー状のものでもよい。共通電位供給配線７の一端は、対向基板３の外面３ｂに位置する部分で導電部６と電気的に接続されている。共通電位供給配線７の他端は、ＴＦＴアレイ基板２上の共通電極用端子１３と電気的に接続されている。
【００２９】
なお、図１においては図示を省略したが、ＴＦＴアレイ基板２の端子部１２および共通電極用端子１３にはフレキシブル基板が接続される。フレキシブル基板には、データ線駆動回路、走査線駆動回路等の駆動回路、コントローラ（制御部）等が実装されている。したがって、電気泳動表示装置１を駆動するための各種信号は、フレキシブル基板からＴＦＴアレイ基板２に供給される。
【００３０】
以下、本実施形態の電気泳動表示装置１の製造方法について説明する。
最初に、図３（Ａ）に示すように、後にＴＦＴアレイ基板２となる基板１５の一面に、図示しないデータ線、走査線、ＴＦＴを形成する。これらの形成方法は一般的な周知のプロセスが用いられるため、説明および図示を省略する。次に、基板１５の一面に、ＩＴＯ等の導電膜をスパッタ法等により成膜し、導電膜をパターニングすることにより複数の画素電極９を形成する。また、基板１５の一面に、共通電極用端子１３を形成する。共通電極用端子１３は、データ線、走査線、画素電極等と同時に形成してもよいし、別工程で形成してもよい。以上の工程により、ＴＦＴアレイ基板２が完成する。
【００３１】
一方、図３（Ｂ）に示すように、後に対向基板３となるガラス基板１６の一面に、共通電極１０を形成する。このとき、ガラス基板１６の一面に、ＩＴＯ等の導電膜をスパッタ法等により成膜し、導電膜をパターニングすることにより共通電極１０を形成する。以上の工程により、対向基板３が完成する。
【００３２】
次に、図３（Ｃ）に示すように、対向基板３の１つの角部にメッキ法により銅、ニッケル、パラジウム等の導電膜を対向基板３の両面と端面とにわたって形成し、導電部６とする。導電部６を形成する際には、電解メッキ法を用いてもよいし、無電解メッキ法を用いてもよい。いずれのメッキ法を用いる場合も、対向基板３の１つの角部をめっき液に浸漬することによりこの部分に対して選択的に導電膜を形成することができる。
【００３３】
次に、図３（Ｄ）に示すように、画素電極９と共通電極１０とを対向させ、ＴＦＴアレイ基板２と対向基板３との間に電気泳動粒子８を含む電気泳動材料１７を挟持させた状態で、ＴＦＴアレイ基板２と対向基板３とを外周シール材５を介して貼り合わせる。この際は、例えばＴＦＴアレイ基板２の周縁部にディスペンサ法等を用いて紫外線（ＵＶ）硬化型樹脂を枠状に描画し、外周シール材５を形成する。その後、ＴＦＴアレイ基板２上の外周シール材５で囲まれた領域内に電気泳動材料１７を滴下し、外周シール材５の上部に対向基板３を載置する。その後、外周シール材５に紫外線を照射して外周シール材５を硬化させる。これにより、ＴＦＴアレイ基板２と対向基板３との間に電気泳動材料１７が封入され、電気泳動層４が形成される。
【００３４】
次に、図３（Ｅ）に示すように、導電部６のうち、対向基板３の外面に位置する部分に共通電位供給配線７の一端を接続し、ＴＦＴアレイ基板２上の共通電極用端子１３に共通電位供給配線７の他端を接続する。このように、共通電位供給配線７を介して導電部６と共通電極用端子１３とを電気的に接続する。共通電位供給配線７の接続は、例えばワイヤーボンディング法等を用いて行うことができる。
【００３５】
例えば液晶表示装置においても、共通電極に共通電位を供給するために２枚の基板間に接続構造を設けることがある。液晶表示装置の場合には２枚の基板間の間隔が数μｍと極めて狭いため、２枚の基板の対向面に金属等の導電材料を配置して導通を取ることが比較的容易である。しかしながら、電気泳動表示装置の場合、２枚の基板間の間隔が液晶表示装置に比べてはるかに広く、２枚の基板の対向面に導電材料を厚く配置して電気的接続を行うことが困難である。
【００３６】
その点、本実施形態の電気泳動表示装置１によれば、共通電位供給配線７および導電部６を介して、共通電極１０に共通電位を供給することができる。そのため、コントローラ等の駆動回路を実装したフレキシブル基板等をＴＦＴアレイ基板２のみに接続すれば足りる。そのため、モジュールの構成や製造プロセスが簡単で、製造コストの削減が可能な電気泳動表示装置１を提供することができる。また、本実施形態の製造方法によれば、メッキ法を用いて対向基板３上の導電部６を容易に形成することができる。
【００３７】
［第２実施形態］
以下、本発明の第２実施形態について、図４〜図６を用いて説明する。
図４は、本実施形態の電気泳動表示装置を示す平面図である。図５は、図４のＢ−Ｂ’線に沿う断面図である。図６は、本実施形態の電気泳動表示装置の製造方法を、工程順を追って示す断面図である。
なお、図４〜図６において第１実施形態で用いた図面と共通の構成要素には同一の符号を付し、説明を省略する。
【００３８】
本実施形態の電気泳動表示装置２１においては、図４および図５に示すように、対向基板３の１つの角部に、対向基板３の内面３ａと外面３ｂとの間を貫通する貫通孔２３が設けられている。導電部２２は、貫通孔２３の内部に充填された銅（Ｃｕ）、アルミニウム（Ａｌ）等の金属（導電体）で構成されている。導電部２２の上端および下端は、対向基板３の内面３ａおよび外面３ｂに接するように形成され、貫通孔２３の内部に位置する部分よりも径が大きく形成されている。すなわち、導電部２２は、対向基板３の内面３ａと外面３ｂとにわたって形成され、共通電極１０と電気的に接続されている。その他の構成は第１実施形態と同様である。
【００３９】
以下、本実施形態の電気泳動表示装置２１の製造方法について説明する。
本実施形態の電気泳動表示装置２１の製造方法は基本的に第１実施形態と同様であり、導電部２２の形成工程のみが第１実施形態と異なる。したがって、ここでは導電部２２の形成工程のみについて説明する。
【００４０】
対向基板３を作製した後、図６（Ａ）に示すように、対向基板３の１つの角部に貫通孔２３を形成する。第１実施形態では、対向基板３の材料としてガラスやプラスチックの例を挙げたが、本実施形態では、対向基板３の材料として例えばポリエチレンテレフタレート（ＰＥＴ）等の板厚が薄いプラスチックフィルムの使用が好適である。その理由は、この種のプラスチックフィルムを用いた場合、簡易な方法で貫通孔２３が開けやすく、貫通孔２３の周囲の欠け等の不良が発生しにくいからである。
【００４１】
次に、図６（Ｂ）に示すように、貫通孔２３の内部に、対向基板３の板厚よりも高さが若干高い銅（Ｃｕ）、アルミニウム（Ａｌ）等の金属片２４を装入する。このとき、金属片２４の上端および下端は、対向基板３の両面から外方に突出した状態となる。
次に、図６（Ｃ）に示すように、圧着機２５等の道具を用いて金属片２４の突出部分をかしめる。
【００４２】
これにより、図６（Ｄ）に示すように、金属片２４の上端および下端がつぶれて貫通孔２３の内部に位置する部分よりも径が大きくなる。その結果、共通電極１０と電気的に接続された導電部２２が形成される。
その他の工程は第１実施形態と同様である。
【００４３】
本実施形態においても、モジュールの構成や製造プロセスが簡単で、製造コストの削減が可能な電気泳動表示装置を提供できる、といった第１実施形態と同様の効果が得られる。また、本実施形態の製造方法によれば、圧着機２５等を用いて金属片２４をかしめることにより導電部２２を容易に形成することができる。
【００４４】
［電子機器］
次に、上記各実施形態の電気泳動表示装置を電子機器に適用した場合について説明する。
図７（ａ）〜（ｃ）は、本発明の電気泳動表示装置を適用した電子機器の具体例を説明する斜視図である。
図７（ａ）は、電子機器の一例である電子ブックを示す斜視図である。この電子ブック１０００は、ブック形状のフレーム１００１と、このフレーム１００１に対して回動自在に設けられた（開閉可能な）カバー１００２と、操作部１００３と、上記実施形態の電気泳動表示装置によって構成された表示部１００４と、を備えている。
【００４５】
図７（ｂ）は、電子機器の一例である腕時計を示す斜視図である。この腕時計１１００は、上記実施形態の電気泳動表示装置によって構成された表示部１１０１を備えている。
【００４６】
図７（ｃ）は、電子機器の一例である電子ペーパーを示す斜視図である。この電子ペーパー１２００は、紙と同様の質感および柔軟性を有するリライタブルシートで構成される本体部１２０１と、上記実施形態の電気泳動表示装置によって構成された表示部１２０２を備えている。
【００４７】
例えば電子ブックや電子ペーパーなどは、白地の背景上に文字を繰り返し書き込む用途が想定されるため、消去時残像や経時的残像の解消が必要とされる。
なお、本発明の電気泳動表示装置を適用可能な電子機器の範囲は、これらに限定されず、帯電粒子の移動に伴う視覚上の色調の変化を利用した装置を広く含むものである。
【００４８】
以上の電子ブック１０００、腕時計１１００および電子ペーパー１２００によれば、上記実施形態に係る電気泳動表示装置が採用されているので、安価な電子機器を提供できる。
【００４９】
なお、上記の電子機器は、本発明の技術範囲を限定するものではない。例えば、携帯電話、携帯用オーディオ機器などの電子機器の表示部や、マニュアル等の業務用シート、教科書、問題集、情報シート等にも、本発明に係る電気泳動表示装置を好適に用いることができる。
【００５０】
なお、本発明の技術範囲は上記実施形態に限定されるものではなく、本発明の趣旨を逸脱しない範囲において種々の変更を加えることが可能である。
例えば上記実施形態では、対向基板の１つの角部にのみ導電部を形成する例を挙げたが、導電部の数は１つに限ることはなく、複数個設けてもよい。また、導電部の形成位置は対向基板の角部に限らず、他の位置であってもよい。その他、電気泳動表示装置の各種構成要素の数、配置、材料、形成方法等については、上記実施形態に限らず、適宜変更が可能である。
【符号の説明】
【００５１】
１，２１…電気泳動表示装置、２…ＴＦＴアレイ基板（第１の基板）、３…対向基板（第２の基板）、４…電気泳動層、６，２２…導電部、７…共通電位供給配線（接続部材）、８…電気泳動粒子、９…画素電極（第１の電極）、１０…共通電極（第２の電極）、１３…共通電極用端子（第２電極用端子）、２３…貫通孔。
【図１】
2013222087.tif 000003
【図２】
2013222087.tif 000004
【図３】
2013222087.tif 000005
【図４】
2013222087.tif 000006
【図５】
2013222087.tif 000007
【図６】
2013222087.tif 000008
【図７】
2013222087.tif 000009